(57)【要約】      （修正有）【課題】仕事や旅行で長時間座り続けて椎間板に負担をかけている人々に椎間板に負担をかけないで、リラックスするための安楽座席を提供する。【解決手段】背凭れ１と、座席シート２と、座台３とから構成され、背凭れ１に上半身支持サポーター４を設け、座台３に対して、座席シート２の前後方向の中間部が左右に延びる座席シート支軸８で軸支されており、座台３に対して、背凭れ１の下端部が左右に延びる回転軸６で軸支されており、座席シート２の後端部には上方にリンクが突設され、リンクの先端部は、背凭れ１の上下方向の中央から少し下の位置に左右に延びるリンク支軸７で軸着されており、背凭れ１を後方に倒すと、リンクで座席シート支軸８を中心に、座席シート２の後端部が下がり、背凭れ１の下端部と座席シート２の間隔を広げ、先端部が上がることにより、使用者の膝の裏側で下半身を支持し、尻を浮かせて座席する。【選択図】図５
2011183151.tif 000002
【特許請求の範囲】
【請求項１】
使用者の背中を支える背凭れ（１）と、使用者が座席する座席シート（２）と、背凭れ（１）及び座席シート（２）を支持する座台（３）とから構成され、背凭れ（１）に上半身支持サポーター（４）を設け、座台（３）に対して、座席シート（２）の前後方向の中間部が左右に延びる座席シート支軸（８）で軸支されており、座台（３）に対して、背凭れ（１）の下端部が左右に延びる回転軸（６）で軸支されており、座席シート（２）の後端部には上方にリンクが突設され、リンクの先端部は、背凭れ（１）の上下方向の中央から少し下の位置に左右に延びるリンク支軸（７）で軸着されており、背凭れ（１）を後方に倒すと、座席シート支軸（８）を中心に、リンクで座席シート（２）の後端部が下がり、背凭れ（１）の下端部と座席シート（２）の間隔を広げ、先端部が上がることにより、使用者の膝の裏側で下半身を支持し、尻を浮かせて座席することを特徴とする安楽座席。
【請求項２】
前記座席シート（２）を前部座席シート（２−１）と、後部座席シート（２−２）とにより分割構成し、前部座席シート（２−１）は、後部座席シート（２−２）の側面前部に設けた側前部（２１）に対して、前部座席シート（２−１）の前後方向の後部上方が左右に延びる前部座席シート支軸（１６）で軸支されており、前部座席シート支軸（１６）を中心に上下に回動し、上方に回動させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする請求項１記載の安楽座席。
【請求項３】
前記座席シート（２）を前部座席シート（２−１）と、後部座席シート（２−２）とにより分割構成し、前部座席シート（２−１）は、上昇、下降し、上昇させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする請求項１記載の安楽座席。
【請求項４】
前記座席シート（２）を前部座席シート（２−１）と、後部座席シート（２−２）とにより分割構成し、前部座席シート（２−１）は、座台（３）に対して、前部座席シート（２−１）の前後方向の後部上方が左右に延びる前部座席シート支軸（１６）で軸支されており、前部座席シート支軸（１６）を中心に、上下に回動し、上方に回動させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする請求項１記載の安楽座席。
【請求項５】
リンクの基端部は座席シート（２）後端部に第２のリンク支軸（１５）で軸着されている請求項１〜５のいずれか一項に記載の安楽座席。
【請求項６】
腰支持背中パット（１１）は、背凭れ（１）の上下方向の下端部を半円状に突出させて、背中部から腰部まで背凭れ（１）の上下方向を受けて、上半身を支持することを特徴とする請求項１〜６のいずれか一項に記載の安楽座席。
【請求項７】
腋下支持具（１４）は、背凭れ（１）に埋設した状態と背凭れ（１）から突出した状態とを切り替えられることを特徴とする請求項１〜７のいずれか一項に記載の安楽座席。
【請求項８】
背凭れ（１）の、肩部から臀部までを支持し、背凭れ（１）の上下方向の中央から少し上の、背凭れ（１）の上面に対して傾斜角度（A）５〜１５度のバックシート（１９）を、背凭れ（１）の上面に設け、バックシート（１９）の上面に、上半身支持サポーター（４）を取付ける請求項１〜８のいずれか一項に記載の安楽座席。
【発明の詳細な説明】
【技術分野】
【０００１】
本発明は、各種椅子、飛行機、電車、自動車、等の座席で、リラックスするための座席に関するものである。
【背景技術】
【０００２】
リラックスするための座席ではないが、類似座席での例、特開平９−３２７３４７、特開２００５−０９５５８０による座席は、背もたれ、座板 (座席シート)、足掛け（足台）を一体として、傾斜台を構成して、脇下支持具（腋支持部）を設けている。
【０００３】
しかしながら、使用者は、一定の高さ一定の幅に固定されている脇下支持具（腋支持部）で腋の下を支えるため、腋の下に苦痛を感じてリラックスできない。使用者は、脇下支持具（腋支持部）と傾斜台で全身を支えるため、傾斜台の角度がゆるやかでも身体に苦痛を感じてリラックスできない。使用者は、腋の下に課する負担が大きく、両腕及び背中を自由に動かせないため、リラックスできない。上記欠点で類似座席ではリラックスできない。又、座席は背もたれ、座板 (座席シート)、足掛け（足台）を、一体として、傾斜台を構成しているため、傾斜台では長い座席スペースを必要とする。
【先行技術文献】
【特許文献】
【０００４】
【特許文献１】特開平９−３２７３４７公報
【特許文献２】特開２００５−０９５５８０公報
【特許文献３】特表２００４−５１８５０７公報
【特許文献４】特開２００３−１８９９６４公報
【特許文献５】特開平０８−２５７０６１公報
【非特許文献】
【０００５】
【非特許文献１】腰痛、肩こり、手足のしびれ    石川達也編集  日本放送出版協会              ２００４年
【発明の概要】
【発明が解決しようとする課題】
【０００６】
本発明は、以上のような、類似座席の欠点を鑑み、使用者は、一定の高さ一定の幅に固定されている脇下支持具（腋支持部）で腋の下を支えるため、腋の下に苦痛を感じてリラックスできない。の解消方法は従来の脇下支持具（腋支持部）に代る支持具を、上半身支持サポーターとして、使用者の腋の下、背中、腰、の位置に上半身支持サポーターをあわせて、上半身を支持することで苦痛を感じさせない。使用者は、脇下支持具（腋支持部）と傾斜台で全身を支えるため、傾斜台の角度がゆるやかでも身体に苦痛を感じてリラックスできない。の解消方法は座席シートの先端部で使用者の、大半の体重を支持して、上半身支持サポーターに課する体重を大幅に減少させて支持して、身体に苦痛を感じさせない。使用者は、腋の下に課する負担が大きく、腕及び背中を自由に動かせないため、リラックスできない。の解消方法は上半身に課する体重を大幅に減少させて、上半身支持サポーターと背凭れを一体化して上半身を支持することで、背中及び両腕を自在に動かせリラックスできる。傾斜台では長い座席スペースを必要とする。の解消方法は脚を上げたリラックスできる姿勢にして座席スペースを縮小できるし、バックシートを設けることでもスペースを縮小できる。又、座席シート先端部の角度及び高さを調節可能とする座席にする。
本発明は、各種椅子、飛行機、電車、自動車、等の座席で、仕事や旅行で長時間座り続けて椎間板に負担をかけている人々に椎間板に負担をかけないで、リラックスするための安楽座席を提供することを目的としている。
【０００７】
厚労省の平成１９年調査では、国民の最も多い痛みの症状は「腰痛」である。予防の二本柱の一つには、日常的に腰のケアする生活習慣で、おなかに力を入れて背筋を伸ばすなどの姿勢に心掛け、腰への負担を減らし、腹筋や背筋の持久力を維持することが必要である（日本整形外科学会で福島県立医大、白土教授が提唱）。ぶら下がりの健康効果はよく知られているが、座席すると椎間板に仰向けに寝た姿勢の５〜１０倍の圧力がかかる。過度に使うのも椎間板を傷めますが、長時間同じ姿勢で１か所を凝視して行うような作業等は、椎間板の同じところがつぶれた状態が続くことになる。背骨の老化は椎間板からはじまる。自重で、背筋を伸ばして、椎間板に負担をかけない姿勢で座席すると、リラックスして、自然に眠くなることは余り知られていない。仕事や旅行で長時間座り続けて椎間板に負担をかけている人々に、リラックスするための安楽座席を提供する。
【課題を解決するための手段】
【０００８】
上記目的を達成するため本発明の第１案は、使用者の背中を支える背凭れと、使用者が座席する座席シートと、背凭れ及び座席シートを支持する座台とから構成され、背凭れに上半身支持サポーターを設け、座台に対して、座席シートの前後方向の中間部が左右に延びる座席シート支軸で軸支されており、座台に対して、背凭れの下端部が左右に延びる回転軸で軸支されており、座席シートの後端部には上方にリンクが突設され、リンクの先端部は、背凭れの上下方向の中央から少し下の位置に左右に延びるリンク支軸で軸着されており、背凭れを後方に倒すと、座席シート支軸を中心に、リンクで座席シートの後端部が下がり、背凭れの下端部と座席シートの間隔を広げ、先端部が上がることにより、使用者の膝の裏側で下半身を支持し、尻を浮かせて座席する。で安楽座席を構成している。
（図１、図２）                                                                  
【０００９】
上半身支持サポーターは、背凭れ上面に、背凭れの上下方向の下端部を半円状に突出させて、背中部から腰部まで背凭れの上下方向を受けて、上半身を支持する腰支持背中パットを設けて腰と背中を支持し、腰支持背中パット上部から設けたベルトを、背凭れ上部に設けた支え具で懸吊し、使用者の腋の下を受けて支持し、腋の下、背中、腰の位置にあわせて、タスキ掛けして腋の下に回り込ませることができるベルトを調節し、保持部で固定して腋の下、背中、腰を支持する。保持部のベルト固定はマジックテープ（登録商標）を使用して簡便、確実に保持（ホールド）する。バンド、バックルで保持する方法でもよい。腋の下に当る部分（脇下支持具）には、衝撃吸収材を取付けて支持する。衝撃吸収材は、たとえば、エアバック、超柔軟性合成ゴム、（株）加地製、「エクスジェル」（商品名）ｄ３０製、「ｄ３０」（商品名）等がある。腰支持背中パットの部材は発砲ウレタンフォーム等を使用する。
【００１０】
支え具は、背凭れの上部に設け、座席の障害とならないように、背凭れの上面を避けて設ける。図１，２では破断して図示している。
【００１１】
図１において、座台に対して、座席シートの前後方向の中間部が左右に延びる座席シート支軸で軸支されており、座台に対して、背凭れの下端部が左右に延びる回転軸で軸支されており、座席シートの後端部には上方にリンクが突設され、リンクの先端部は、背凭れの上下方向の中央から少し下の位置に左右に延びるリンク支軸で軸着されており、背凭れを後方に倒すと、座席シートの前後方向の中間部にある座席シート支軸を中心に、リンクで座席シートの後端部が下がり、背凭れの下端部と座席シートの間隔を広げ、先端部が上がることにより、使用者の膝の裏側で下半身を支持し、尻を浮かせて座席する。座席シートの膝の裏側に当る部分には衝撃吸収材を取付ける。
【００１２】
背凭れの回転軸を作動して、傾斜角度を調節する方法としては、手動式でも電動式でもよい。背凭れの傾斜角度は２０〜８０度とする。                                    
【００１３】
使用者は図１のように座席シートに着席する。背凭れに背中を付けた姿勢になり、支え具で支え懸吊しているベルトを調節して、使用者の腋の下、背中、腰の位置にあわせてタスキ掛けしたベルトを調節して、上半身支持サポーターを装着し、ベルトを保持部で固定して上半身を支持する。
【００１４】
使用者が座台に対して、背凭れの下端部が左右に延びる回転軸で軸支されている背凭れを後方に倒すと、座席シート支軸を中心に、リンクで座席シートの後部が下がり、背凭れの下端部と座席シートの間隔を広げ、先端部が上がることにより、使用者の膝の裏側で下半身を支持し、尻を浮かせて座席する。座席シートの先端部で使用者の下半身の体重を支持して、上半身支持サポーターに課する体重を減少させる。図２のように、尻を浮かせて、脚を上げた医学的にも腰にやさしい姿勢（ファウラー体位）になりリラックスできる。使用者のおなかに力を入れて自重で背筋を伸ばす姿勢で、椎間板に負担をかけないことで腹筋や背筋の持久力の維持につながる
【００１５】
使用後は、使用者が背凭れの回転軸を作動して元の背凭れの位置に戻すとリンクにしている座席シートも元の位置に戻る(図１参照)。一般的椅子として使用できるし、脚を上げたファウラー体位ができる座席、エクササイズができる座席として使用できる。
【００１６】
座席シート支軸は、座席シートの前後方向の中間部に設ければよく、中央部に設けてもよく、実施例３、４に記載している通り、座席シートの後部の近くに設けてもよい。
【００１７】
本発明のうち請求項１記載の発明は、使用者の背中を支える背凭れ（１）と、使用者が座席する座席シート（２）と、背凭れ（１）及び座席シート（２）を支持する座台（３）とから構成され、背凭れ（１）に上半身支持サポーター（４）を設け、座台（３）に対して、座席シート（２）の前後方向の中間部が左右に延びる座席シート支軸（８）で軸支されており、座台（３）に対して、背凭れ（１）の下端部が左右に延びる回転軸（６）で軸支されており、座席シート（２）の後端部には上方にリンクが突設され、リンクの先端部は、背凭れ（１）の上下方向の中央から少し下の位置に左右に延びるリンク支軸（７）で軸着されており、背凭れ（１）を後方に倒すと、座席シート支軸（８）を中心に、リンクで座席シート（２）の後端部が下がり、背凭れ（１）の下端部と座席シート（２）の間隔を広げ、先端部が上がることにより、使用者の膝の裏側で下半身を支持し、尻を浮かせて座席することを特徴とする安楽座席。
【００１８】
第２案は、前記座席シートを前部座席シートと、後部座席シートとにより分割構成し、前部座席シートは、後部座席シートの側面前部に設けた側前部に対して、前部座席シートの前後方向の後部上方が左右に延びる前部座席シート支軸で軸支されており、前部座席シート支軸を中心に上下に回動し、上方に回動させて固定し、使用者の膝の裏側で下半身を支持し、背凭れを後方に倒すと、座席シート支軸を中心に、リンクで後部座席シートの後端部が下がり、背凭れの下端部と座席シートの間隔を広げ、尻を浮かせて座席する。で安楽座席を構成している。（図３、図４、図５）
【００１９】
図３において、座台に対して、座席シートの前後方向の中間部分が左右に延びる座席シート支軸で軸支されており、座台に対して、背凭れの下端部が左右に延びる回転軸で軸支されており、座席シートの後端部には上方にリンクが突設され、リンクの基端部は座席シートの後端部に第２のリンク支軸で軸着されており、リンクの先端部は、背凭れの上下方向の中央から少し下の位置に左右に延びるリンク支軸で軸着されている。
【００２０】
前部座席シートは、後部座席シートの側面前部に設けた側前部に対して、前部座席シートの前後方向の後部上方が左右に延びる前部座席シート支軸で軸支されており、前部座席シート支軸を中心に上下に回動し、上方に回動させて角度及び高さを調節して固定する。
【００２１】
後部座席シートは、座席シート支軸を中心に、後端部は上下方向に回動する。座台に対して、背凭れの下端部が左右に延びる回転軸で軸支されている背凭れを後方に倒すと、背凭れの上下方向の中央から少し下の位置にリンク支軸に軸着させているリンクが、リンク連結具で、後部座席シートの後端部にある第２のリンク支軸に連結されており、後部座席シートは、座席シートの前後方向の中間部にある座席シート支軸を中心に、リンクで後部座席シートの後部が下がり、背凭れの下端部と座席シートの間隔を広げ、前部座席シートは、使用者の膝の裏側で下半身を支持し、尻を浮かせて座席する。前部座席シートで使用者の大半の体重を支持し、上半身支持サポーターに課する体重を大幅に減少させる。第２のリンク支軸は、座席シートの回動に対応して設け、リンクの動きをスムーズにする。
【００２２】
前部座席シートを、前部座席シート支軸を中心に、上下に回動させて調節する方法としては、シリンダ類、ラチェットレンチ、ジャッキ等を取付け、手動式でも電動式でもよい。
【００２３】
上半身支持サポーターは、背凭れの上下方向の下端部を半円状に突出させて、背中部から腰部まで背凭れの上下方向を受けて、上半身を支持する腰支持背中パットを設ける。腰支持背中パットは、背凭れに埋設した状態と背凭れから突出した状態とを切り替えられるように設け、背凭れからの、突出の高さを調節することができる。又、腰支持背中パットは、半円状に突出した部分を、背凭れの上下方向に位置を調節可能として設け、使用者の腰、背中にあわせて固定して上半身を支持する。上下方向に位置調節はガイド、ラック等で行う。前部座席シートが、使用者の膝の裏側で大半の体重を支持するため、上半身支持サポーターに課する体重を大幅に減少させ、上半身支持サポーターは、前記腰支持背中パットだけで、上半身を支持することを可能にした。安全ベルトを上半身支持サポーター又は背凭れに取付けてもよい。
【００２４】
使用者は図３のように座席シートに着席する。背凭れに背中を付けた姿勢になり、上半身支持サポーターを上下方向の位置を調節し、使用者の腰、背中にあわせて固定して上半身を支持する。
【００２５】
使用者は後部座席シートの前方の、前部座席シートを、前後方向の後部上方にある前部座席シート支軸を中心に、上方に回動させて、高さ及び角度を調節して固定する。前部座席シートが膝の裏側で下半身を支持し、使用者の大半の体重を支持して、上半身支持サポーターに課する体重を大幅に減少させる。（図４参照）使用者の膝の裏側と肢が当る部分には衝撃吸収材を取付ける。
【００２６】
座台に対して、背凭れの下端部が左右に延びる回転軸で軸支されている背凭れを後方に倒すと、背凭れの上下方向の中央から少し下の位置にリンク支軸に軸着させているリンクが、リンク連結具で、後部座席シートの後端部にある第２のリンク支軸に連結されており、後部座席シートは、座席シートの前後方向の中間部にある、座席シート支軸を中心に、リンクで後部座席シートの後端部が下がり、背凭れの下端部と座席シートの間隔を広げ、使用者の尻を浮かせて座席する。図５のように使用者は尻を浮かせ、脚を上げた医学的にも腰にやさしい姿勢（ファウラー体位）になりリラックスできる。使用者のおなかに力を入れて自重で背筋を伸ばす姿勢で、椎間板に負担をかけないことで腹筋や背筋の持久力の維持につながる。
【００２７】
使用後は前部座席シートを、前部座席シート支軸を中心に、下方に回動して元の前部座席シートの位置に戻し、背凭れの回転軸を作動して、背凭れを元の位置に戻すとリンクにしている後部座席シートも元の位置に戻る(図３参照)。一般的な椅子として使用できるし、脚を上げたファウラー体位ができる座席、エクササイズができる座席として使用できる。
【００２８】
腰支持背中パットの埋設した状態と背凭れから突出した状態とを切り替えは、シリンダ、スプリング、ジャッキ等を取付ける。作動する方法は手動式でも電動式でもよい。背凭れの回転軸を作動し、背凭れの傾斜角度を調節する方法、前部座席シート支軸を作動し、上下に回動する方法は手動式でも電動式でもよい。背凭れの傾斜角度は２０〜８０度とする。
【００２９】
本発明のうち請求項２記載の発明は、前記座席シート（２）を前部座席シート（２−１）と、後部座席シート（２−２）とにより分割構成し、前部座席シート（２−１）は、後部座席シート（２−２）の側面前部に設けた側前部（２１）に対して、前部座席シート（２−１）の前後方向の後部上方が左右に延びる前部座席シート支軸（1６）で軸支されており、前部座席シート支軸（１６）を中心に上下に回動し、上方に回動させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする請求項１記載の安楽座席。                                                                    
【００３０】
第３案は、前記座席シートを前部座席シートと、後部座席シートとにより分割構成し、前部座席シートは上昇、下降し、上昇させて固定し、使用者の膝の裏側で下半身を支持し、背凭れを後方に倒すと、座席シート支軸を中心に、リンクで後部座席シートの後端部が下がり、背凭れの下端部と座席シートの間隔を広げ、尻を浮かせて座席することを特徴とする。で安楽座席を構成している。（図８、図９）
【００３１】
図８において、座台に対して、座席シートの前後方向の中間部分が左右に延びる座席シート支軸で軸支されており、座台に対して、背凭れの下端部が左右に延びる回転軸で軸支されており、座席シートの後端部には上方にリンクが突設され、リンクの基端部は座席シートの後端部に第２のリンク支軸で軸着されており、リンクの先端部は、背凭れの上下方向の中央から少し下の位置に左右に延びるリンク支軸で軸着されている。
【００３２】
前部座席シートは、上昇、下降を調節可能とし、前後方向の位置調節も可能とし、前後方向を調節固定してから、前部座席シートを上昇させて高さを調節して固定する。
【００３３】
後部座席シートは、座席シート支軸を中心に、後端部は上下方向に回動する。座台に対して、背凭れの下端部が左右に延びる回転軸で軸支されている背凭れを後方に倒すと、背凭れの上下方向の中央から少し下の位置にリンク支軸に軸着させているリンクが、リンク連結具で、後部座席シートの後端部にある第２のリンク支軸に連結されており、後部座席シートは、座席シートの前後方向の中間部にある座席シート支軸を中心に、リンクで後部座席シートの後部が下がり、背凭れの下端部と座席シートの間隔を広げ、前部座席シートは、使用者の膝の裏側で下半身を支持し、尻を浮かせて座席する。前部座席シートで、使用者の大半の体重を支持し、上半身支持サポーターに課する体重を大幅に減少させる。第２のリンク支軸は、座席シートの回動に対応して設け、リンクの動きをスムーズにする。
【００３４】
前部座席シートの上昇，下降は油圧、電動シリンダ等のシリンダ類，ジヤッキ,等を取付け、上下に調節する作動方法としては、手動式でも電動式でもよい。
【００３５】
上半身支持サポーターは、背凭れに取付けて、腋の下から腰部までを背凭れと一体化して上半身を支持するものである。上半身支持サポーターは、腰支持背中パットの上方に腋下支持具を設ける。腋下支持具は、背凭れに埋設した状態と背凭れから突出した状態とを切り替えられるように設ける。背凭れ上面に突出して、腋の下を受けて支持し、使用者の左右の腋の下にあわせて固定する。腋の下に当る部分には衝撃吸収材を取付けて腋の下を支持し、腋の下に痛みを感じさせない。腰支持背中パットは、背凭れの上下方向の下端部を半円状に突出させて、背中部から腰部まで背凭れの上下方向を受けて、上半身を支持する。上下方向に位置調節可能とし、使用者の腋の下、背中、腰にあわせて固定して上半身を支持する。腰支持背中パットと腋下支持具は一体となっていても分割されていてもよい。上下方向に位置調節はガイド、ラック等を設けて調節する。腋下支持具の、背凭れ上面に突出する、長さ調節はスプリング，ネジ等で設定して固定する。腋下支持具を背凭れから、突出、収納、移動、固定は電動でも手動でもよい。安全ベルトを上半身支持サポーター又は背凭れに取付けてもよい。
【００３６】
使用者は図８のように座席シートに着席する。背凭れに背中を付けた姿勢になり、上半身支持サポーターを背凭れの上下方向に位置を調節し、使用者の腋の下、背中、腰にあわせて固定して上半身を支持する。
【００３７】
使用者は前部座席シートの、後部座席シートとの前後方向を調節して固定し、前部座席シートを上昇させ、高さを調節して固定する。前部座席シートが上がることにより、使用者の膝の裏側で下半身を支持し、使用者の大半の体重を支持して、上半身支持サポーターに課する体重を大幅に減少させる。使用者の膝の裏側と肢が当る部分には衝撃吸収材を取付ける。
【００３８】
座台に対して、背凭れの下端部が左右に延びる回転軸で軸支されている背凭れを後方に倒すと、背凭れの上下方向の中央から少し下の位置にリンク支軸に軸着させているリンクが、リンク連結具で、後部座席シートの後端部にある第２のリンク支軸に連結されており、後部座席シートは、座席シートの前後方向の中間部にある、座席シート支軸を中心に、リンクで後部座席シートの後端部が下がり、背凭れの下端部と座席シートの間隔を広げ、前部座席シートは、使用者の膝の裏側で下半身を支持し、尻を浮かせて座席する。図９のように使用者は、前部座席シートで下半身を支持し、尻を浮かせて、脚を上げた医学的にも腰にやさしい姿勢（ファウラー体位）になりリラックスできる。使用者のおなかに力を入れて自重で背筋を伸ばす姿勢で、椎間板に負担をかけないことで腹筋や背筋の持久力の維持につながる。
【００３９】
使用後は前部座席シートを、下降して元の前部座席シートの位置に戻し、背凭れの回転軸を作動して、背凭れを元の位置に戻すとリンクにしている後部座席シートも元の位置に戻る(図８参照)。一般的な椅子として使用できるし、脚を上げたファウラー体位ができる座席、エクササイズができる座席として使用できる。
【００４０】
背凭れの回転軸を作動して、背凭れの傾斜角度を調節する方法及び前部座席シートを上昇、下降する方法は手動式でも電動式でもよい。背凭れの傾斜角度は２０〜８０度とする。
【００４１】
本発明のうち請求項３記載の発明は、前記座席シート（２）を前部座席シート（２−１）と、後部座席シート（２−２）とにより分割構成し、前部座席シート（２−１）は、上昇、下降し、上昇させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする請求項１記載の安楽座席。
【００４２】
第４案は、前記座席シートを前部座席シートと、後部座席シートとにより分割構成し、前部座席シートは、座台に対して、前部座席シートの前後方向の後部上方が左右に延びる前部座席シート支軸で軸支されており、前部座席シート支軸を中心に、上下に回動し、上方に回動させて固定し、使用者の膝の裏側で下半身を支持し、背凭れを後方に倒すと、座席シート支軸を中心に、リンクで後部座席シートの後端部が下がり、背凭れの下端部と座席シートの間隔を広げ、尻を浮かせて座席する。で安楽座席を構成している。
（図６、図７）
【００４３】
図６において、座台に対して、座席シートの前後方向の中間部が左右に延びる座席シート支軸で軸支されており、座台に対して、背凭れの下端部が左右に延びる回転軸で軸支されており、座席シートの後端部には上方にリンクが突設され、リンクの先端部は、背凭れの上下方向の中央から少し下の位置に左右に延びるリンク支軸で軸着されている。
【００４４】
前部座席シートは、台座に対して、前部座席シートの前後方向の後部上方が左右に延びる前部座席シート支軸で軸支されており、前部座席シート支軸を中心に上下に回動し、上方に回動させて固定する。使用者の膝の裏側と肢が当る部分には衝撃吸収材を取付ける。
【００４５】
座台に対して、背凭れの下端部が左右に延びる回転軸で軸支されている背凭れを後方に倒すと、座席シートの前後方向の中間部が左右に延びる座席シート支軸で軸支されており、にある、座席シート支軸を中心に、リンクで後部座席シートの後部が下がり、背凭れの下端部と座席シートの間隔を広げ、使用者の尻を浮かせて座席する。前部座席シートは、使用者の下半身の体重を支持して、上半身支持サポーターに課する体重を減少させる。
【００４６】
背凭れの回転軸を作動して、背凭れの傾斜を調節する方法はリクライニングシートを使用。前部座席シート支軸を作動して上下に回動する方法はシリンダ類，ラチェットレンチ、ジヤッキ,等を取付け、手動式でも電動式でもよい。背凭れの傾斜角度は２０〜８０度とする。
【００４７】
背凭れ上面に設ける上半身支持サポーターは、背凭れの上下方向の下端部を半円状に突出させて、背中部から腰部まで背凭れの上下方向を受けて、上半身を支持する腰支持背中パットの上方に、腋の下を受ける腋下支持具を設け、上下方向に位置調節可能とし、固定して上半身を支持する。腰支持背中パットと腋下支持具は一体となっていても分割されていてもよい。腰支持背中パット及び腋下支持具の取付具の、上下方向に位置調節はガイド、ラック等を設け、腋下支持具の左右の幅もガイド、ラック等を設け、取付具を移動し、調節可能として、使用者の腋の下にあわせて固定する。腋下支持具は、背凭れ上面に突出して、腋の下を受けて支持し、使用者の左右の腋の下にあわせて設ける。腋下支持具の、背凭れ上面に突出する、長さ調節はスプリング，ネジ等で設定して固定する。腋の下に当る部分には衝撃吸収材を取付けて腋の下を支持し、腋の下に痛みを感じさせない。安全ベルトを上半身支持サポーター又は背凭れに取付けてもよい。
【００４８】
使用者は図６のように座席シートに着席する。背凭れに、背中を付けた姿勢になり、上半身支持サポーターの上下方向の位置を調節し、腋下支持具の左右の幅も調節して使用者の腋の下、背中、腰にあわせて固定して上半身を支持する。
【００４９】
使用者は後部座席シート前方の、前部座席シートを前後方向の後部上方にある前部座席シート支軸を中心に、上方に回動させて、角度及び高さを調節して固定する。前部座席シートが膝の裏側で下半身を支持し、使用者の下半身の体重を支持して上半身支持サポーターに課する体重を減少させる。                                                  
【００５０】
座台に対して、背凭れの下端部が左右に延びる回転軸で軸支されている、背凭れを後方に倒すと、座席シート支軸を中心に、リンクで後部座席シートの後端部が下がり、背凭れの下端部と座席シートの間隔を広げ、尻を浮かせて座席する。図７のように使用者は尻を浮かせ、脚を上げた医学的にも腰にやさしい姿勢（ファウラー体位）になりリラックスできる。使用者のおなかに力を入れて自重で背筋を伸ばす姿勢で、椎間板に負担をかけないことで腹筋や背筋の持久力の維持につながる。
【００５１】
使用後は前部座席シートを、前部座席シート支軸を中心に、下方に回動して元の前部座席シートの位置に戻し、背凭れの回転軸を作動して、背凭れを元の位置に戻すとリンクにしている後部座席シートも元の位置に戻る(図６参照)。一般的な椅子として使用できるし、脚を上げたファウラー体位ができる座席、エクササイズができる座席としても使用できる。          
【００５２】
本発明のうち請求項４記載の発明は、前記座席シート（２）を前部座席シート（２−１）と、後部座席シート（２−２）とにより分割構成し、前部座席シート（２−１）は、座台（３）に対して、前部座席シート（２−１）の前後方向の後部上方が左右に延びる前部座席シート支軸（１６）で軸支されており、前部座席シート支軸（１６）を中心に、上下に回動し、上方に回動させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする請求項１記載の安楽座席。
【００５３】
本発明のうち請求項５記載の発明は、リンクの基端部は座席シート（２）後端部に第２のリンク支軸（１５）で軸着されている請求項１〜５のいずれか一項に記載の安楽座席。
【００５４】
本発明のうち請求項６記載の発明は、腰支持背中パット（１１）は、背凭れ（１）の上下方向の下端部を半円状に突出させて、背中部から腰部まで背凭れの上下方向を受けて、上半身を支持することを特徴とする請求項１〜６のいずれか一項に記載の安楽座席。
【００５５】
本発明のうち請求項７記載の発明は、腋下支持具（１４）は、背凭れ（１）に埋設した状態と背凭れ（１）から突出した状態とを切り替えられることを特徴とする請求項１〜７のいずれか一項に記載の安楽座席。
【００５６】
安楽座席の、背凭れの上面に、肩部から臀部までを支持し、傾斜角度を補助する、バックシートを脱着可能に設け、バックシートの上面に、上半身支持サポーターを設ける。取付け方法はバックル、バンド等とする。又、バックシートは、背凭れに埋設した状態と背凭れから突出した状態とを切り替えられるように設ける。切り替えはシリンダ、スプリング、ジャッキ等を取付ける。背凭れに取付けることで、背凭れの角度を調節でき、安楽座席の座席スペースを縮小できる。部材は発砲ウレタンフォーム等を使用する。
（図１０，図１１）
【００５７】
本発明のうち請求項８記載の発明は、背凭れ（１）の、肩部から臀部までを支持し、背凭れ（１）の上下方向の中央から少し上の、背凭れ（１）の上面に対して傾斜角度（A）５〜１５度のバックシート（１９）を、背凭れ（１）の上面に設け、バックシート（１９）の上面に、上半身支持サポーター（４）を取付ける請求項１〜８のいずれか一項に記載の安楽座席。
【発明の効果】
【００５８】
以上の説明から明らかなように、本発明にあっては次に列挙する効果が得られる。
使用者の背中を支える背凭れと、使用者が座席する座席シートと、背凭れ及び座席シートを支持する座台とから構成され、背凭れに上半身支持サポーターを設け、座台に対して、座席シートの前後方向の中間部が左右に延びる座席シート支軸で軸支されており、座台に対して、背凭れの下端部が左右に延びる回転軸で軸着されており、座席シートの後端部には上方にリンクが突設され、リンクの先端部は、背凭れの上下方向の中央から少し下の位置に左右に延びるリンク支軸で軸着されており、背凭れを後方に倒すと、リンクで座席シート支軸を中心に、座席シートの後端部が下がり、背凭れの下端部と座席シートの間隔を広げ、先端部が上がることにより、使用者の膝の裏側で下半身を支持し、尻を浮かせて座席する。で安楽座席を構成しているので、
１）各種椅子、飛行機、電車、自動車、等の座席で、仕事や旅行で長時間座り続けて椎間板に負担をかけている人々に椎間板に負担をかけないで、リラックスするための安楽座席を提供できる。
２）背凭れを後方に倒すことで、リンクで繋がっている、座席シート支軸を中心に、座席シートの後端部が下がり、先端部が上がることにより、座席シートの先端部が膝の裏側で下半身を支持し、座席シートの先端部が肢台となる。
３）座席シートの先端部を、使用者の膝の裏側で下半身を支持し、大半の体重を支持して、尻を浮かせて座席。上半身支持サポーターに課する体重を大幅に減少させる。
４）背凭れの上面に上半身支持サポーターを設けたことにより、身体に痛みを感じさせないと共に背中及び両腕を自在に動かせてリラックスできる。
５）脚を上げた医学的にも腰にやさしい姿勢（ファウラー体位）になりリラックスできる。
６）おなかに力を入れて背筋を伸ばすなどの姿勢に心掛け、腰への負担を減らし、腹筋や背筋の持久力を維持することができる座席で、日常的に腰のケアーする生活習慣としての座席、エクササイズができる座席に使用できる。                                  
７）一般的な椅子として使用できる。                                            
８）脚を上げた姿勢になること及び背凭れにバックシートを脱着可能に設けることで、座席のスペースを減らすことができる。
【００５９】
前記１）〜４）によって
１）リラックスして、自然に眠くなり、仮眠ができる座席として使用できる。
２）脚を上げたファウラー体位ができる座席として使用できる。
３）仕事や旅行で長時間座り続けて椎間板に負担をかけている人々に貢献できる。
請求項１〜８も前記と同様な効果が得られる。
【図面の簡単な説明】
【００６０】
【図１】本発明の安楽座席、第１案の座席全体図である。
【図２】本発明の安楽座席、第１案の使用状態座席全体図である。
【図３】本発明の安楽座席、第２案の座席全体図である。
【図４】本発明の安楽座席、第２案の下半身を支持している座席全体図である。
【図５】本発明の安楽座席、第２案の使用状態座席全体図である。
【図６】本発明の安楽座席、第３案の座席全体図である。
【図７】本発明の安楽座席、第３案の使用状態座席全体図である。
【図８】本発明の安楽座席、第４案の座席全体図である。
【図９】本発明の安楽座席、第４案の使用状態座席全体図である。
【図１０】本発明の安楽座席、背凭れにバックシートを取付けた全体図である。
【図１１】本発明の安楽座席、背凭れにバックシートを取付けた使用状態全体図である。
【発明を実施するための形態】
【００６１】
本発明における、安楽座席の実施形態を図に基づいて説明する。
【実施例１】
【００６２】
図１において、安楽座席は、使用者の背中を支える背凭れ１と、使用者が座席する座席シート２と、背凭れ１及び座席シート２を支持する座台３とから構成され、背凭れ１上面に、上半身支持サポーター４と、支え具５を設け、上半身支持サポーター４は上下方向に位置調節可能として、背凭れ１上部に設けた、支え具５に懸吊して設ける。背凭れ１は、リクライニングシートを使用する。
【００６３】
上半身支持サポーター４は、使用者の腋の下に当る部分（脇下支持具１４）には、衝撃吸収材１２を取付けて腋の下を受けて支持し、背凭れ１の上下方向の下端部を半円状に突出させて、背中部から腰部まで背凭れ１の上下方向を受けて、上半身を支持する腰支持背中パット１１を設けて上半身を支持し、腰支持背中パット１１上部から設けたベルト９を、背凭れ１上部に設けた支え具５で懸吊し、使用者の腋の下、背中、腰の位置にあわせて、タスキ掛けしたベルト９を調節して、ベルト９を保持部１０で固定して腋の下、背中、腰を支持する。腰支持背中パット１１の部材は発砲ウレタンフォームを使用。保持部１０の固定は、バンドを使用。腋の下に当る部分の衝撃吸収材12は、超柔軟性合成ゴムを使用。
【００６４】
図１において、座台３に対して、座席シート２の前後方向の中間部が左右に延びる座席シート支軸８で軸支されており、座台３に対して、背凭れ１の下端部が左右に延びる回転軸６で軸支されており、座席シート２の後端部には上方にリンクが突設され、リンクの先端部は、背凭れ１の上下方向の中央から少し下の位置に左右に延びるリンク支軸７で軸着されている。背凭れ１を後方に倒すと、座席シート２の前後方向の中間部にある座席シート支軸８を中心に、リンクで座席シート２の後部が下がり、背凭れ１の下端部と座席シート２の間隔を広げ、先端部が上がることにより、使用者の膝の裏側で下半身を支持し、尻をうかせて座席する。座席シート２の膝の裏側に当る部分には超柔軟性合成ゴムを使用。
【００６５】
使用者は図１のように座席シート２に着席する。背凭れ１に背中を付けた姿勢になり、支え具５で支え懸吊しているベルト９を調節して、使用者の腋の下、背中、腰の位置にあわせてタスキ掛けしたベルト９を調節して、上半身支持サポーター４を装着し、ベルト９を保持部１０で固定して上半身を支持する。
【００６６】
使用者が座台３に対して、背凭れ１の下端部が左右に延びる回転軸６で軸支されている背凭れ１を後方に倒すと、座席シート支軸８を中心に、リンクで座席シート２の後端部が下がり、背凭れ１の下端部と座席シート２の間隔を広げ、先端部が上がることにより、使用者の膝の裏側で下半身を支持し、尻を浮かせて座席する。図２のように、使用者の下半身の体重を支持して、上半身支持サポーター４に課する体重を減少させる。使用者は尻を浮かせ脚を上げた医学的にも腰にやさしい姿勢（ファウラー体位）になりリラックスできる。
【００６７】
使用後は、使用者が背凭れ１（リクライニングシート）を作動して、元の背凭れ１の位置に戻すとリンクにしている座席シート１も元の位置に戻る(図１参照)。一般的な椅子として使用できるし、脚を上げたファウラー体位座ができる席、エクササイズができる座席として使用できる。    
【実施例２】
【００６８】
図６において、使用者の背中を支える背凭れ１と、使用者が座席する座席シート２（前部座席シート２−１と、後部座席シート２−２とにより分割構成）と、背凭れ１及び座席シート２を支持する座台３とから構成され、背凭れ１に上半身支持サポーター４を設け、上半身支持サポーター４は上下方向に位置調節可能として設ける。背凭れ１は、リクライニングシートを使用する。
【００６９】
座台３に対して、座席シート２の前後方向の中間部が左右に延びる座席シート支軸８で軸支されており、座台３に対して、背凭れ１の下端部が左右に延びる回転軸６で軸支されており、座席シート２の後端部には上方にリンクが突設され、リンクの先端部は、背凭れ１の上下方向の中央から少し下の位置に左右に延びるリンク支軸７で軸着されている。
【００７０】
前記座席シート２を前部座席シート２−１と後部座席シート２−２とにより分割構成し、前部座席シート２−１は、台座３に対して、前部座席シート２−１の前後方向の後部上方が、左右に延びる前部座席シート支軸１６で軸支されており、前部座席シート支軸１６を中心に、上下に回動し、上方に回動して角度及び高さを調節し、固定して使用者の膝の裏側で上半身を支持する。台座３に対して、背凭れ１の下端部が左右に延びる回転軸６で軸支されている背凭れ１を後方に倒すと、座席シート支軸８を中心に、リンクで後部座席シート２−２の後端部が下がり、背凭れ１の下端部と座席シート２の間隔を広げ、尻を浮かせて座席する。前部座席シート２−１は、使用者の下半身の体重を支持して、上半身支持サポーター４に課する体重を減少させる。使用者の膝の裏側と脚が当る部分には、超柔軟性合成ゴムを取付ける。
【００７１】
背凭れ１上面に設ける上半身支持サポーター４は、背凭れ１の上下方向の下端部を半円状に突出させて、背中部から腰部まで背凭れ１の上下方向を受けて、上半身を支持する腰支持背中パット１１の上方に、背凭れ１上面に突出する高さを、ネジ部取付具２８で調節できる腋下支持具１４を設け、ガイド１３に沿って上下方向に位置調節可能として使用者の腋の下、腰、背中にあわせて、クリップ３１で固定して上半身を支持する。腋下支持具１４の左右の幅もネジ部取付具２８を移動して使用者に合せて固定する。腰支持背中パット１１の部材は発砲ウレタンフォームを使用。腋下支持具１４の部材は発砲樹脂を使用、腋の下に当る部分に取付ける衝撃吸収材12は超柔軟性合成ゴムを使用。
【００７２】
使用者は図６のように座席シート２に着席する。背凭れ１に、背中を付けた姿勢になり、上半身支持サポーター４の上下方向の位置を調節し、腋下支持具１４の左右の高さ幅を調節して、使用者の腋の下、背中、腰にあわせて固定して上半身を支持する。
【００７３】
使用者は前部座席シート２−１を電動シリンダ１７で作動しロッド１８を伸ばすと、前部座席シート２−１の前後方向の後部上方にある前部座席シート支軸１６を中心に上方に回動させ、角度及び高さを調節して固定し、下半身を支持する。前部座席シート２−１が、使用者の膝の裏側で使用者の下半身の体重を支持して、上半身支持サポーター４に課する体重を減少させる。
【００７４】
座台３に対して、背凭れ１の下端部が左右に延びる回転軸６で軸支されている背凭れ１を後方に倒すと（傾斜角度２０〜３５度）、座席シート支軸８を中心に、リンクで後部座席シート２−２の後端部が下がり、背凭れ１の下端部と座席シート２の間隔を広げ、尻を浮かせて座席する。図７のように、使用者は尻を浮かせ、脚を上げた医学的にも腰にやさしい姿勢（ファウラー体位）になりリラックスできる。
【００７５】
使用後は電動シリンダ１７を作動しロッド１８を元の位置に戻すことで、前部座席シート２−１が、前部座席シート支軸１６を中心に、下方に回動して元の前部座席シート２−１の位置に戻り、背凭れ１（リクライニングシート）を電動で作動して、背凭れ１を元の位置に戻すとリンクにしている後部座席シート２−２も元の位置に戻る(図６参照)。一般的な椅子として使用できるし、脚を上げたファウラー体位座ができる席、エクササイズができる座席として使用できる。    
【実施例３】
【００７６】
図３において、使用者の背中を支える背凭れ１と、使用者が座席する座席シート２（前部座席シート２−１と、後部座席シート２−２とにより分割構成）と、背凭れ１及び座席シート２を支持する座台３とから構成され、背凭れ１には、上半身支持サポーター４を設け、上半身支持サポーター４は上下方向に位置調節可能として設ける。背凭れ１は、リクライニングシートを使用する。
【００７７】
背凭れ１上面に設ける、上半身支持サポーター４は、背凭れ１の上下方向の下端部を半円状に突出させて、背中部から腰部まで背凭れ１の上下方向を受けて、上半身を支持する腰支持背中パット１１を、上下方向にガイド１３に沿って位置調節可能として設け、使用者の腰、背中にあわせて、クリップ３１で固定して上半身を支持する。前部座席シート２−１が、使用者の膝の裏側で大半の体重を支持するため、上半身サポーター４に課する体重を大幅に減少させ、上半身支持サポーター４は、前記腰支持背中パット１１だけで、上半身を支持することを可能にした。腰支持背中パット１１の部材は発砲ウレタンフォームを使用。
【００７８】
図３において、座台３に対して、座席シート２の前後方向の中間部分が左右に延びる座席シート支軸８で軸支されており、座台３に対して、背凭れ１の下端部が左右に延びる回転軸６で軸支されており、座席シート２の後端部には上方にリンクが突設され、リンクの基端部は座席シート２の後端部に第２のリンク支軸１５で軸着されており、リンクの先端部は、背凭れ１の上下方向の中央から少し下の位置に左右に延びるリンク支軸７で軸着されている。
【００７９】
前記座席シート２を前部座席シート２−１と、後部座席シート２−２とにより分割構成し、前部座席シート２−１は、後部座席シート２−２の側面前部に設けた側前部２１に対して、前部座席シート２−１の前後方向の後部上方が左右に延びる前部座席シート支軸１６で軸支されており、前部座席シート２−１は、前部座席シート支軸１６を中心に、上下方向に回動する。前部座席シート２−１の前端部を上方に回動させて角度及び高さを調節して固定する。前部座席シート２−１の上下方向の回動はラチェットレンチを使用。
【００８０】
座台３に対して、背凭れ１の下端部が左右に延びる回転軸６で軸支されている背凭れ１を後方に倒すと、背凭れ１の上下方向の中央から少し下の位置にリンク支軸７に軸着させているリンクが、リンク連結具２５で、座席シート２の後端部にある第２のリンク支軸１５に連結されており、後部座席シート２−２は、座席シート２の前後方向の中間部にある座席シート支軸８を中心に、リンクで後部座席シート２−２の後端部が下がり、背凭れ１の下端部と座席シート２の間隔を広げ、前部座席シート２−１は使用者の膝の裏側で下半身を支持し、使用者の尻を浮かせて座席する。図５のように前部座席シート２−１で、使用者の大半の体重を支持して、上半身支持サポーター４に課する体重を大幅に減少させる。第２のリンク支軸１５は、座席シート２の後端部が座席シート支軸８を中心に回動するための、対応として設け、リンクの動きをスムーズにしてトラブルを少なくする。
【００８１】
使用者は図３のように座席シート２に着席する。背凭れ１に、背中を付けた姿勢になり、上半身支持サポーター４を、上下方向の位置を調節し、使用者の腋の下、背中、腰にあわせて固定して上半身を支持する。
【００８２】
使用者は後部座席シート２−２前方の、前部座席シート２−１の先端部を、前後方向の後部上方にある前部座席シート支軸１６を中心に、ラチェットレンチで上方に回動させて、高さ及び角度を調節して固定し、下半身を支持する。前部座席シート２−１で下半身を支持することで、使用者の大半の体重を支持して、上半身支持サポーターに課する体重を大幅に減少させる。使用者の膝の裏側と肢が当る部分の衝撃吸収材12は、超柔軟性合成ゴムを使用。
【００８３】
座台３に対して、背凭れ１の下端部が左右に延びる回転軸６で軸支されている背凭れ１を後方に倒すと（傾斜角度２０〜３５度）、背凭れ１の上下方向の中央から少し下の位置にリンク支軸７に軸着させているリンクが、リンク連結具２５で、後部座席シート２−２の後端部にある第２のリンク支軸１５に連結されており、後部座席シート２−２は、座席シート２の前後方向の中間部にある、座席シート支軸８を中心に、リンクで後部座席シート２−２の後端部が下がり、背凭れ１の下端部と座席シート２の間隔を広げ、使用者の尻を浮かせて座席する。図５のように使用者は尻を浮かせて、脚を上げた医学的にも腰にやさしい姿勢（ファウラー体位）になりリラックスできる。
【００８４】
使用後は前部座席シート２−１を、前部座席シート支軸１６を中心に、ラチェットレンチで下方に回動させて元の前部座席シート２−１の位置に戻し、背凭れ１（リクライニングシート）を作動して、背凭れ１を元の位置に戻すとリンクにしている座席シート２も元の位置に戻る(図３参照)。一般的な椅子として使用できるし、脚を上げたファウラー体位ができる座席、エクササイズができる座席として使用できる。
【実施例４】
【００８５】
図８において、使用者の背中を支える背凭れ１と、使用者が座席する座席シート２（前部座席シート２−１と、後部座席シート２−２とにより分割構成）と、背凭れ１及び座席シート２を支持する座台３とから構成され、背凭れ１には、上半身支持サポーター４を設け、上半身支持サポーター４は上下方向に位置調節可能として設ける。背凭れ１は、リクライニングシートを使用する。
【００８６】
座台３に対して、後部座席シート２−２の前後方向の中間部が左右に延びる、座席シート支軸８で軸支されており、座台３に対して、背凭れ１の下端部が左右に延びる回転軸６で軸支されており、座席シート２の後端部には上方にリンクが突設され、リンクの基端部は座席シート２の後端部に第２のリンク支軸１５で軸着されており、リンクの先端部は、背凭れ１の上下方向の中央から少し下の位置に左右に延びるリンク支軸７で軸着されている。
【００８７】
前記座席シート２は前部座席シート２−１と、後部座席シート２−２とにより分割構成し、前部座席シート２−１は、後部座席シート２−２との、前後方向の長さ調節をシート取付け台ガイド３５で行い、使用者にあわせて固定する。前部座席シート２−１は上昇、下降し、油圧シリンダ３６で上昇させて高さを調節して固定する。前部座席シート２−１の、使用者の膝の裏側と脚が当る部分には超柔軟性合成ゴムを使用。
【００８８】
座台３に対して、背凭れ１の下端部が左右に延びる回転軸６で軸支されている背凭れ１を後方に倒すと、背凭れ１の上下方向の中央から少し下の位置にリンク支軸７に軸着させているリンクが、リンク連結具２５で、後部座席シート２−２の後端部にある第２のリンク支軸１５に連結されており、後部座席シート２−２は、座席シート２の前後方向の中間部にある座席シート支軸８を中心に、リンクで後部座席シート２−２の後端部が下がり、背凭れ１の下端部と座席シート２の間隔を広げる。前部座席シート２−１は、使用者の膝の裏側で下半身を支持し、尻を浮かせて座席する。前部座席シート２−１で、使用者の大半の体重を支持し、上半身支持サポーター４に課する体重を大幅に減少させる。第２のリンク支軸１５は、座席シート２の後端部が座席シート支軸８を中心に回動するための、対応として設け、リンクの動きをスムーズにしてトラブルを少なくする。
【００８９】
背凭れ１に設ける上半身支持サポーター４は、背凭れ１の上下方向の下端部を半円状に突出させて、背中部から腰部まで背凭れ１の上下方向を受けて、上半身を支持する腰支持背中パット１１の上方に腋の下を受ける腋下支持具１４を設ける。腰支持背中パット１１は、ガイド１３に沿って上下方向に位置調節して、使用者の腋の下、背中、腰にあわせて、クリップ３１で固定して上半身を支持する。腋下支持具１４は、背凭れ１に埋設した状態と背凭れ１から突出した状態とを切り替えられる。背凭れ１の内部に取付け具３２を収納し、使用時の、背凭れ１上面に突出は、スプリング３３を設け、突出の長さを調節して腋の下を受けて支持し、使用者の左右の腋の下にあわせる取付け具３２をラック３４で移動させて固定する。腋の下に当る部分には衝撃吸収材１２を取付けて腋の下を支持し、腋の下に痛みを感じさせない。腰支持背中パット１１の部材は発砲ウレタンフォームを使用。腋下支持具１４の部材は発砲樹脂を使用、腋の下に当る部分に取付ける衝撃吸収材12は超柔軟性合成ゴムを使用。
【００９０】
使用者は図８のように座席シート２に着席する。背凭れ１に、背中を付けた姿勢になり、上半身支持サポーター４の上下方向の位置を調節し、腋下支持具１４の左右の高さ幅を調節して、使用者の腋の下、背中、腰にあわせて固定して上半身を支持する。
【００９１】
使用者は前部座席シート２−１の、後部座席シート２−２との前後方向を調節して固定し、前部座席シート２−１を油圧シリンダ３６で上昇させ、高さを調節し、下半身を支持する。前部座席シート２−１を上昇させて固定することにより、使用者の膝の裏側で大半の体重を支持し、上半身支持サポーター４に課する体重を大幅に減少させる。
【００９２】
座台に対して、背凭れ１の下端部が左右に延びる回転軸６で軸支されている背凭れ１を後方に倒すと、背凭れ１の上下方向の中央から少し下の位置にリンク支軸７に軸着させているリンクが、リンク連結具２５で、後部座席シート２−２後端部にある第２のリンク支軸１５に連結されており、後部座席シート２−２は、座席シート２の前後方向の中間部にある座席シート支軸８を中心に、リンクで後部座席シート２−２の後端部が下がり、背凭れ１の下端部と座席シート２の間隔を広げ、前部座席シート２−１は、使用者の膝の裏側で下半身を支持し、尻を浮かせて座席する。図９のように使用者は尻を浮かせて、脚を上げた医学的にも腰にやさしい姿勢（ファウラー体位）になりリラックスできる。使用者のおなかに力を入れて自重で背筋を伸ばす姿勢で、椎間板に負担をかけないことで腹筋や背筋の持久力の維持につながる。
【００９３】
使用後は前部座席シート２−１を、油圧シリンダ３６で下降させて元の前部座席シート２−１の位置に戻し、背凭れ１（リクライニングシート）を作動して、背凭れ１を元の位置に戻すとリンクにしている後部座席シート２−２も元の位置に戻る(図８参照)。一般的な椅子として使用できるし、脚を上げたファウラー体位ができる座席、エクササイズができる座席として使用できる。
【産業上の利用可能性】
【００９４】
本発明は、リラックスするための安楽座席を製造する産業で利用される。
【符号の説明】
【００９５】
１      背凭れ
２      座席シート
２−１  前部座席シート
２−２  後部座席シート
３      座台
４      上半身支持サポーター
５      支え具
６      回転軸
７      リンク支軸
８      座席シート支軸
９      ベルト
１０    保持部
１１    腰支持背中パット
１２    衝撃吸収材
１３    ガイド
１４    腋下支持具
１５    第２のリンク支軸
１６    前部座席シート支軸
１７    シリンダ
１８    ロッド
１９    バックシート
２１    側前部
２２    肘かけ
２５    リンク連結具
２８    ネジ部取付具
３１    クリップ
３２    取付け具
３３    スプリング
３４    ラック
３５    シート取付け台ガイド
３６    油圧シリンダ
【図１】
2011183151.tif 000003
【図２】
2011183151.tif 000004
【図３】
2011183151.tif 000005
【図４】
2011183151.tif 000006
【図５】
2011183151.tif 000007
【図６】
2011183151.tif 000008
【図７】
2011183151.tif 000009
【図８】
2011183151.tif 000010
【図９】
2011183151.tif 000011
【図１０】
2011183151.tif 000012
【図１１】
2011183151.tif 000013
【手続補正書】
【提出日】平成23年6月17日(2011.6.17)
【手続補正１】
【補正対象書類名】特許請求の範囲
【補正対象項目名】全文
【補正方法】変更
【補正の内容】
【特許請求の範囲】
【請求項１】
使用者の背中を支える背凭れ（１）と、使用者が座席する座席シート（２）と、背凭れ（１）及び座席シート（２）を支持する座台（３）とから構成され、背凭れ（１）に上半身支持サポーター（４）を設け、座台（３）に対して、座席シート（２）の前後方向の中間部が左右に延びる座席シート支軸（８）で軸支されており、座台（３）に対して、背凭れ（１）の下端部が左右に延びる回転軸（６）で軸支されており、座席シート（２）の後端部には上方にリンクが突設され、リンクの先端部は、背凭れ（１）の上下方向の中央から少し下の位置に左右に延びるリンク支軸（７）で軸着されており、リンクの基端部は座席シート（２）後端部に第２のリンク支軸（１５）で軸着されており、背凭れ（１）を後方に倒すと、座席シート支軸（８）を中心に、リンクで座席シート（２）の後端部が下がり、背凭れ（１）の下端部と座席シート（２）の間隔を広げ、先端部が上がることにより、使用者の膝の裏側で下半身を支持し、尻を浮かせて座席することを特徴とする安楽座席。
【請求項２】
前記座席シート（２）を前部座席シート（２−１）と、後部座席シート（２−２）とにより分割構成し、前部座席シート（２−１）は、後部座席シート（２−２）の側面前部に設けた側前部（２１）に対して、前部座席シート（２−１）の前後方向の後部上方が左右に延びる前部座席シート支軸（１６）で軸支されており、前部座席シート支軸（１６）を中心に上下に回動し、上方に回動させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする安楽座席。
【請求項３】
前記座席シート（２）を前部座席シート（２−１）と、後部座席シート（２−２）とにより分割構成し、前部座席シート（２−１）は、後部座席シート（２−２）に対して上昇、下降し、上昇させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする請求項１記載の安楽座席。
【請求項４】
前記座席シート（２）を前部座席シート（２−１）と、後部座席シート（２−２）とにより分割構成し、前部座席シート（２−１）は、座台（３）に対して、前部座席シート（２−１）の前後方向の後部上方が左右に延びる前部座席シート支軸（１６）で軸支されており、前部座席シート支軸（１６）を中心に、上下に回動し、上方に回動させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする請求項１記載の安楽座席。
【請求項５】
上半身支持サポーター（４）は、腰支持背中パット（１１）を含んでおり、腰支持背中パット（１１）は、背凭れ（１）の上下方向の下端部を半円状に突出させて、背中部から腰部まで背凭れ（１）の上下方向を受けて、上半身を支持することを特徴とする請求項１〜４のいずれか一項に記載の安楽座席。
【請求項６】
上半身支持サポーター（４）は、腋下支持具（１４）を含んでおり、腋下支持具（１４）は、背凭れ（１）に埋設した状態と背凭れ（１）から突出した状態とを切り替えられることを特徴とする請求項１〜５のいずれか一項に記載の安楽座席。
【請求項７】
背凭れ（１）の、肩部から臀部までを支持し、背凭れ（１）の上下方向の中央から少し上の、背凭れ（１）の上面に対して傾斜角度（A）５〜１５度のバックシート（１９）を、背凭れ（１）の上面に設け、バックシート（１９）の上面に、上半身支持サポーター（４）を取付ける請求項１〜６のいずれか一項に記載の安楽座席。
【手続補正２】
【補正対象書類名】明細書
【補正対象項目名】００１７
【補正方法】変更
【補正の内容】
【００１７】
本発明のうち請求項１記載の発明は、使用者の背中を支える背凭れ（１）と、使用者が座席する座席シート（２）と、背凭れ（１）及び座席シート（２）を支持する座台（３）とから構成され、背凭れ（１）に上半身支持サポーター（４）を設け、座台（３）に対して、座席シート（２）の前後方向の中間部が左右に延びる座席シート支軸（８）で軸支されており、座台（３）に対して、背凭れ（１）の下端部が左右に延びる回転軸（６）で軸支されており、座席シート（２）の後端部には上方にリンクが突設され、リンクの先端部は、背凭れ（１）の上下方向の中央から少し下の位置に左右に延びるリンク支軸（７）で軸着されており、リンクの基端部は座席シート（２）後端部に第２のリンク支軸（１５）で軸着されており、背凭れ（１）を後方に倒すと、座席シート支軸（８）を中心に、リンクで座席シート（２）の後端部が下がり、背凭れ（１）の下端部と座席シート（２）の間隔を広げ、先端部が上がることにより、使用者の膝の裏側で下半身を支持し、尻を浮かせて座席することを特徴とする安楽座席。
【手続補正３】
【補正対象書類名】明細書
【補正対象項目名】００４１
【補正方法】変更
【補正の内容】
【００４１】
本発明のうち請求項３の発明は、前記座席シート（２）を前部座席シート（２−１）と、後部座席シート（２−２）とにより分割構成し、前部座席シート（２−１）は、後部座席シート（２−２）に対して上昇、下降し、上昇させて固定し、使用者の膝の裏側で下半身を支持し、背凭れ（１）を後方に倒すと、座席シート支軸（８）を中心に、リンクで後部座席シート（２−２）の後端部が下がり、背凭れ（１）の下端部と座席シート（２）の間隔を広げ、尻を浮かせて座席することを特徴とする請求項１記載の安楽座席。
【手続補正４】
【補正対象書類名】明細書
【補正対象項目名】００５３
【補正方法】削除
【補正の内容】
【手続補正５】
【補正対象書類名】明細書
【補正対象項目名】００５４
【補正方法】変更
【補正の内容】
【００５４】
本発明のうち請求項５記載の発明は、上半身支持サポーター（４）は、腰支持背中パット（１１）を含んでおり、腰支持背中パット（１１）は、背凭れ（１）の上下方向の下端部を半円状に突出させて、背中部から腰部まで背凭れの上下方向を受けて、上半身を支持することを特徴とする請求項１〜４のいずれか一項に記載の安楽座席。
【手続補正６】
【補正対象書類名】明細書
【補正対象項目名】００５５
【補正方法】変更
【補正の内容】
【００５５】
本発明のうち請求項６記載の発明は、上半身支持サポーター（４）は、腋下支持具（１４）を含んでおり、腋下支持具（１４）は、背凭れ（１）に埋設した状態と背凭れ（１）から突出した状態とを切り替えられることを特徴とする請求項１〜５のいずれか一項に記載の安楽座席。
【手続補正７】
【補正対象書類名】明細書
【補正対象項目名】００５７
【補正方法】変更
【補正の内容】
【００５７】
本発明のうち請求項７記載の発明は、背凭れ（１）の、肩部から臀部までを支持し、背凭れ（１）の上下方向の中央から少し上の、背凭れ（１）の上面に対して傾斜角度（A）５〜１５度のバックシート（１９）を、背凭れ（１）の上面に設け、バックシート（１９）の上面に、上半身支持サポーター（４）を取付ける請求項１〜６のいずれか一項に記載の安楽座席。